(57)【特許請求の範囲】
【請求項１】
壁面を背にして床面上に設置される流し台は、少なくとも片側側板の背面と底面が交差する角部に切欠き部を形成し、この切欠き部によって形成される流し台の長手方向の空間部に複数の配管が挿通可能に構成されるものであって、前記流し台の背面に対応する壁面の下端前面に保護板が取付けられ、該保護板の上端で前記流し台の切欠き部の底面を支持し得るように構成され、前記保護板は、前面に前記複数の配管を支持する支持部材が取り付けられていることを特徴とする流し台の構造。
【請求項２】
前記保護板は、上端面に長手方向に凹溝が形成され、該凹溝の前面側上面が前方に下り傾斜の傾斜面が形成され、前記流し台の切欠き部は、その背面側下端に下方に突出する係止片が形成され、該係止片が前記傾斜面に乗り上げ可能に構成されて成る請求項１に記載の流し台の構造。
【発明の詳細な説明】
【０００１】
【発明の属する技術分野】
本発明は、流し台の構造に係り、特に壁面を背にして床面上に設置される流し台を設置するに際し、前記流し台を床面上を前記壁面側に向けてスライド移動させるだけ壁面前面に設置することができる流し台の構造に関する。
【０００２】
【従来の技術】
図５は従来の流し台構造を示す斜視図であり、図６は従来の流し台の側板底面に配管を挿通するための切欠き部が形成された状態を示す部分拡大側面図である。
【０００３】
従来の流し台０１は、図５及び図６に示されるように、特に壁面０２を背にして床面０３上に設置される流し台０１は、該流し台の０１の各ガス台、オーブンレンジ又は食器乾燥器及び水道又は食器洗浄機に接続される各種配管Ｐが、前記壁面０２前面の床面０３上にいわゆるころがし配管として配管されているため、流し台０１の少なくとも片側側板０４の底面に前記各種配管Ｐを挿通させるための切欠き部０５が形成されている。
【０００４】
【発明が解決しようとする課題】
ところが、前記各種配管Ｐは、流し台０１が設置される前に床面上に配設されるため、流し台０１の背面０６を壁面前面に接触させた状態で設置するためには、前記各種配管Ｐの上部を前記切欠き部０５内に挿通させるために流し台０１の底面０７を各種配管Ｐの上部より上方に持ち上げる作業が必要となる。
【０００５】
従って、このように床面上にころがし配管が配設されていると、重量を有する流し台０１を持ち上げる作業を１人行うことは困難となり、設置するための作業工数が増大する問題を有することとなる。
【０００６】
また、配管に温度差が生ずることによって露結が生じ、これが長期的に続くと壁面が濡れてかびが生じたり腐食する問題を有する。
【０００７】
更に床面上に設置される各種配管は、流し台０１内部で支持するためには、図示しない配管支持部材を流し台０１を設置した後に流し台０１内部に設置する作業が必要となり、狭い空間内での作業が困難となる。
【０００８】
加えて、従来の流し台０１は、その背面０６を壁面０２に接触させた状態で床面上に設置されるが、長期的には地震等の振動が生ずると若干ずつ移動して、壁面０２に対して隙間が生じ、この隙間にゴミ等が侵入すると腐食して細菌が繁殖する等の問題を有することとなる。
【０００９】
本発明はこのような問題点を解決するため、各種配管が設置された壁面前面の床面上に壁面を背にして流し台を設置する際に、単一の人数でも確実且つ容易に流し台の設置作業を行うことができるばかりか各種配管作業も容易に行うことができ、配管から生ずる湿気等が壁面に悪影響を及ぼすことなく設置することができる流し台の構造を提供することを目的としている。
【００１０】
【課題を解決するための手段】
上記目的を達成するために、本発明の流し台の構造は、壁面を背にして床面上に設置される流し台は、少なくとも片側側板の背面と底面が交差する角部に切欠き部を形成し、この切欠き部によって形成される流し台の長手方向の空間部に複数の配管が挿通可能に構成されるものであって、前記流し台の背面に対応する壁面の下端前面に保護板が取付けられ、該保護板の上端で前記流し台の切欠き部の底面を支持し得るように構成され、前記保護板は、前面に前記複数の配管を支持する支持部材が取り付けられていることを特徴としている。
この特徴によれば、少なくとも片側側板の背面と底面が交差する角部に切欠き部が形成されているので、単一の人数でも確実且つ容易に流し台の設置作業を行うことができ、作業工数を削減することができる。また、配管の周囲に生じた露結等による湿気が保護板によって遮られ、壁面に悪影響を及ぼすことなく設置することができる。更に、流し台を設置する前に各種配管が支持部材を介して保護板に取り付けることができるので、配管作業を単純且つ正確に行うことができる。
【００１３】
本発明の流し台の構造は、前記保護板が、上端面に長手方向に凹溝が形成され、該凹溝の前面側上面が前方に下り傾斜の傾斜面が形成され、前記流し台の切欠き部は、その背面側下端に下方に突出する係止片が形成され、該係止片が前記傾斜面に乗り上げ可能に構成されれば好適である。
このようにすることにより、流し台を床面上を滑らせて壁面に向けて移動する動作で切欠き部の係止片下端が保護板の傾斜面に当接する。さらに流し台を押込むと、係止片の下端は傾斜面上に乗り上げて流し台の一端が僅かに上昇したのち凹溝に挿嵌されるので、地震等により振動が生じても移動することなく壁面に対し確実に係止することができる。
【００１４】
【発明の実施の形態】
以下、本発明の実施例を図面に基づいて説明する。図１は本発明の流し台の構造の第１実施形態を示す流し台を背面から視た斜視図、図２は第１実施形態に係る流し台の背面と底面が交差する角部に形成された切欠き部を示す部分拡大側面図、図３は第２実施形態を示し、切欠き部に用いられる保護板に各種配管が取付けられる状態を示す斜視図であり、図４の（ａ）〜（ｂ）は第３実施形態としての流し台背面の切欠き部係止片が保護板に係止する状態を示す動作説明図である。
【００１５】
図１において、１は本発明の第１実施形態としての流し台の構造が採用された流し台を示し、この流し台１は、少なくとも片側側板４の背面６と底面７が交差する角部に切欠き部５を形成し、この切欠き部５によって形成される流し台１の長手方向の空間部には、複数の配管Ｐが挿通可能に構成されている。
【００１６】
流し台１の背面６に対応する壁面２の下端前面には、断面矩形に形成され略流し台１の全長に相当する長さの保護板１０が例えばビス１１等により固定され、該保護板１０の上端に流し台１の切欠き部５下端が支持し得るように構成されている。
【００１７】
例えば流し台１に設けられるシンク８、ガス台９又は図示はしないがガスオーブン等に連通するガス管または水道管等からなる複数の各種配管Ｐが壁面２下端に取付けられた保護板１０前面の床面３上方に配設されている。
【００１８】
次に、このように構成された本発明の第１実施形態に係る流し台の構造が採用された流し台を設置する作業手順につき説明する。
【００１９】
先ず、壁面２の下端前面に、流し台１の全長に相当する長さの保護板１０が例えばビス１１等により固定されると、その保護板１０前面の床面上に予め流し台のシンク８、ガス台９又は図示しないガスオーブンや食器洗浄器等に連通する各種配管Ｐが配設される。
【００２０】
そこで、背面６を壁面２に対し対向させて平行な状態で流し台１が床面３上に置かれると、流し台１を床面３上を滑らせて壁面２前面に向けて移動する。
【００２１】
この移動に際し、流し台１の切欠き部５は、既に配設されている各種配管Ｐの上部を越えて、壁面２の下端前面に固定されている保護板１０の上端に切欠き部５の底面が位置し、流し台１の背面６が壁面２の前面に接触させた状態で設置される。
【００２２】
このように、少なくとも片側側板４の背面６と底面７が交差する角部に切欠き部５が形成されているので、単一の人数でも確実且つ容易に流し台１の設置作業を行うことができ、作業工数を削減することができる。
【００２３】
また、各種配管Ｐの周囲に生じた露結等による湿気が保護板１０によって遮られるので、壁面２に悪影響を及ぼすことなく設置することができる。
【００２４】
次に、本発明の第２実施形態としての流し台の構造について説明する。図３に示されるように、本実施形態では、流し台の保護板１０の前面に複数の配管Ｐをそれぞれ支持するための支持部材を設けたものである。
【００２５】
詳しくは、保護板１０前面の床面３上に配設される複数の配管Ｐのうち、流し台１に設けられるシンク８部には水道配管Ｐ２が、又図示しない食器乾燥器には水道配管Ｐ１がそれぞれ配管される。
【００２６】
これら配管のうちシンク部８に接続される水道配管Ｐ２は支持部材１２ａによって保護板１０の前面に直接支持され、図示しない食器乾燥器に接続される水道配管Ｐ１は保護板１０の前面から前方に離間した状態でＬ字形に形成された支持部材１２ｂによって支持される。
【００２７】
また、ガス台９に接続されるガス管Ｐ４は支持部材１２ａによって保護板１０の前面に支持され、図示しないガスオーブン等に連通するガス管Ｐ３は保護板１０の前面から前方に離間した状態でＬ字形に形成された支持部材１２ｂによって支持される。
【００２８】
これら各種配管Ｐは、流し台１の切欠き部５内に全てが位置するように各支持部材１２ａ及び１２ｂによって整列状態にまとめられて水平に支持される。
【００２９】
そこで、流し台１が前述したように床面３上を滑らせて移動し、壁面２を背にして床面３上に設置されると、切欠き部５を通して流し台１内部の空間内に水平状態で配設される各種配管Ｐ１〜Ｐ４の水平に折曲された各端部に対し、流し台１の各部に対応するシンク部８及びガス台９又は図示しない各ガスオーブン又は食器洗浄器に向けてそれぞ立ち上げ配管が施される。
【００３０】
このようにすることにより、流し台１を設置する前に各種配管Ｐが支持部材１２ａ、１２ｂを介して保護板１０に取り付けることができるので、配管作業Ｐを単純且つ正確に行うことができる。
【００３１】
次に、本発明の第３実施形態としての流し台の構造について説明する。図４に示されるように、本実施形態は保護板の変形例を示したものであり、この保護板１６は、上端面に長手方向に凹溝１８が形成され、該凹溝１８の前面側上面が前方に下り傾斜の傾斜面１７が形成され、流し台１の切欠き部１３は、その背面６側下端に下方に突出する係止片１４が形成され、床面３から係止片１４下端までの高さが保護板１６の傾斜面１７に位置するように構成されている。
【００３２】
従って、流し台１を壁面の前方に接触させた状態で設置するに際し、流し台１を、床面３上を滑らせて壁面２に向けて移動する動作で切欠き部１３の係止片１４の下端が保護板１６の傾斜面１７に当接する。
【００３３】
さらに流し台１を壁面２に対して平行に押込むと、係止片１４の下端が傾斜面１７上に乗り上げて流し台１の一端を僅かに上昇させるようにして凹溝１８に挿嵌されるので、地震等により振動が生じても移動することなく壁面２に対し確実に係止することができる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
【発明の効果】
本発明は次の効果を奏する。
【００３６】
（ａ）請求項１の発明によれば、少なくとも片側側板の背面と底面が交差する角部に切欠き部が形成されているので、単一の人数でも確実且つ容易に流し台の設置作業を行うことができ、作業工数を削減することができる。また、配管の周囲に生じた露結等による湿気が保護板によって遮られ、壁面に悪影響を及ぼすことなく設置することができる。更に、流し台を設置する前に各種配管が支持部材を介して保護板に取り付けることができるので、配管作業を単純且つ正確に行うことができる。
【００３９】
（ｂ）請求項２の発明によれば、流し台を床面上を滑らせて壁面に向けて移動する動作で切欠き部の係止片下端が保護板の傾斜面に当接する。さらに流し台を押込むと、係止片の下端は傾斜面上に乗り上げて流し台の一端が僅かに上昇したのち凹溝に挿嵌されるので、地震等により振動が生じても移動することなく壁面に対し確実に係止することができる。
【００４０】
【図面の簡単な説明】
【図１】本発明の第１の実施形態としての流し台を背面から視た斜視図である。
【図２】流し台構造の第１実施形態に係る流し台背面と底面が交差する角部に形成された切欠き部を示す部分拡大側面図である。
【図３】流し台構造の第２実施形態に係る流し台切欠き部に用いられる保護板に各種配管が取付けられる状態を示す斜視図である。
【図４】（ａ）〜（ｂ）は第３実施形態としての流し台の切欠き部係止片が保護板に係止する状態を示す動作説明図である。
【図５】従来の流し台構造を示す斜視図である。
【図６】従来の流し台の側板底面に配管を挿通するための切欠き部が形成された状態を示す部分拡大側面図である。
【符号の説明】
１                    流し台
２                    壁面
３                    床面
４                    片側側板
５                    切欠き部
６                    背面
７                    底面
８                    シンク
９                    ガス台
１０                  保護板
１１                  ビス
１２ａ、１２ｂ        支持部材
１３                  切欠き部
１４                  係止片
１６                  保護板
１７                  傾斜面
１８                  凹溝
Ｐ                    各種配管
【図１】
0004162103.tif 000002
【図２】
0004162103.tif 000003
【図３】
0004162103.tif 000004
【図４】
0004162103.tif 000005
【図５】
0004162103.tif 000006
【図６】
0004162103.tif 000007